(57)【要約】【課題】２剤混合式の毛髪化粧料の第１剤と第２剤を毛髪にムラ無く塗布することを可能とする毛髪化粧料の吐出装置を提供する。【解決手段】  毛髪化粧料の吐出装置１０Ａが、毛髪化粧料の第１剤を充填した容器２ａと第２剤を充填した容器２ｂの少なくとも２つの容器に取り付けられ、各剤の流路を有する連結部１１ａと、連結部１１ａ上に設けられ、各剤を同時に吐出させる吐出ノズル１２を備える。吐出ノズル１２は、内部で各剤の層状流路１８ａ、１８ｂが互いに交わることなく交互に積層されているノズル本体部１６と、ノズル本体部１６の先端部で各層状流路１８ａ、１８ｂの流路端の一部を開口し、各剤の流路を細分化する細流化部材１７ａとを有する。【選択図】図１
2005035631.tif 000002
【特許請求の範囲】
【請求項１】
毛髪化粧料の第１剤を充填した容器と第２剤を充填した容器の少なくとも２つの容器に取り付けられ、各剤の流路を有する連結部と、連結部上に設けられ、各剤を同時に吐出させる吐出ノズルを備えた吐出装置であって、
吐出ノズルが、内部で各剤の層状流路が互いに交わることなく交互に積層されているノズル本体部と、ノズル本体部の先端部で各層状流路の流路端の一部を開口し、各剤の流路を細分化する細流化部材とを有する毛髪化粧料の吐出装置。
【請求項２】
細流化部材が、隣り合う２つの層状流路に跨る複数の窓部を縦横に有し、それらの窓部を通して毛髪化粧料が第１剤と第２剤の市松模様に吐出されるように、各窓部において第１剤又は第２剤のいずれか一方の流路が開口している請求項１記載の吐出装置。
【請求項３】
細流化部材が、各層状流路上に複数の開口部を有し、該開口部が市松模様配置となっている請求項１記載の吐出装置。
【請求項４】
細流化部材が、隣り合う２つの層状流路に跨る複数の窓部を一列に有し、これらの窓部において第１剤又は第２剤のいずれか一方の流路が交互に開口している請求項１記載の吐出装置。
【請求項５】
毛髪化粧料の第１剤を充填した容器と第２剤を充填した容器の少なくとも２つの容器、及び請求項１〜４のいずれかに記載の吐出装置からなる毛髪化粧料吐出用具。
【請求項６】
各剤の容器が二重エアゾール容器である請求項５記載の毛髪化粧料吐出用具。
【発明の詳細な説明】
【技術分野】
【０００１】
本発明は、吐出ノズルを備えた２剤混合式の毛髪化粧料の吐出装置に関する。
【背景技術】
【０００２】
２剤混合式の毛髪化粧料として、例えば、酸化染料を含有する第１剤と、過酸化水素等の酸化剤を含有する第２剤とからなる染毛剤が知られている。また、毛髪脱色剤として、アルカリ剤を含有する第１剤と、過酸化水素を含有する第２剤とからなる２剤混合式のものが知られている。
【０００３】
このような２剤混合式の毛髪化粧料では、保存安定性の点から、第１剤と第２剤とがそれぞれ別個の容器に収容され、使用時に第１剤と第２剤が混合される。
【０００４】
一方、毛髪化粧料の吐出容器としては、剤の吐出ノズルを備えたものと、櫛歯又は櫛歯間に剤の吐出口を形成したブラシ状の塗布用具を備えたものがあるが、このうち吐出ノズルを備えたものは、狭い領域あるいは少量の毛束の部分染めをする場合にも、剤を無駄なく使用できるという利点を有する。
【０００５】
従来、吐出ノズルを備えた吐出容器であって、２剤混合式の毛髪化粧料に対応させたものとしては、第１剤と第２剤の吐出と混合を同時に行えるようにするため、例えば、両剤が混合する吐出筒内に、傾斜の向きが互いに異なる半環状の螺旋状板を設けたもの（特許文献１）や、ノズル内に、螺旋状の突条を突設した混合液撹拌棒を設けたもの（特許文献２）が提案されている。
【０００６】
また、１つのノズルから第１剤と第２剤を同時に吐出させるにあたり、ノズル内で両剤の吐出圧が異なることにより同量吐出が妨げられることを防止するため、ノズル内の両剤の流路を仕切板で完全に仕切ること（特許文献３）や、流路を仕切板で仕切ったノズルから第１剤と第２剤を吐出させた後、それらが互いに接触し、混合し易い状態となるように、ノズルの先端部分には仕切板を設けないようにすること（特許文献４）が提案されている（特許文献４）。
【０００７】
【特許文献１】実用新案登録第２５３３９２０号公報
【特許文献２】実用新案登録第２５１７０８８号公報
【特許文献３】特開平１１−５９７４６号公報
【特許文献４】特開２０００−１０９１５０号公報
【発明の開示】
【発明が解決しようとする課題】
【０００８】
しかしながら、ノズル内で第１剤と第２剤の混合を行う従来の吐出容器は、混合する剤が液剤に比して粘度の高いクリーム状、ジェル状等であると、両剤を均一にムラ無く混合することが難しい。混合度を上げるためには、ノズル内における流路径を細くするなどして剤の流速を高めることが必要となるが、そのようにして流路径を細くすると流路内での剤の詰まりが問題となる。
【０００９】
また、ノズル内で第１剤と第２剤を混合すると、使いかけで吐出容器を放置した場合、ノズル内で第１剤と第２剤が反応してしまい、それを毛髪に塗布しても所期の染毛効果を得ることができない。
【００１０】
ノズル内部で第１剤と第２剤の流路を仕切ると共に、ノズル先端部では仕切板をなくし、ノズルから二剤が接触して吐出するようにした場合、ノズル内部で第１剤と第２剤が反応する問題は解消されるが、吐出させた後の両剤の混合性はさらに高めることが必要となる。
【００１１】
そこで、本発明は、毛髪化粧料の第１剤と第２剤を毛髪にムラ無く塗布することができ、また、ノズル内で剤相互の反応を防止することができる新たな毛髪化粧料の吐出装置を提供することを目的とする。
【課題を解決するための手段】
【００１２】
本発明者は、クリーム状、ジェル状等の比較的高粘度の毛髪化粧料の第１剤と第２剤をノズルから同時に吐出させる場合に、ノズル本体の内部では各剤の層状流路を互いに交わることなく交互に積層し、ノズルの先端部において、各層状流路の流路端の全面を開口するのではなく、その流路端の一部を開口することにより各剤の流れを細分化する細流化部材を設けると、両剤はノズルから細分化した状態で吐出され、吐出後に容易に混合すること、したがって、第１剤と第２剤の細分化した吐出物をブラシあるいは直接毛髪上にとり、毛髪を梳くと、両剤は素早く均一に混合し、毛髪にムラ無く塗布できることを見出した。
【００１３】
即ち、本発明は、毛髪化粧料の第１剤を充填した容器と第２剤を充填した容器の少なくとも２つの容器に取り付けられ、各剤の流路を有する連結部と、連結部上に設けられ、各剤を同時に吐出させる吐出ノズルを備えた吐出装置であって、
吐出ノズルが、内部で各剤の層状流路が互いに交わることなく交互に積層されているノズル本体部と、ノズル本体部の先端部で各層状流路の流路端の一部を開口し、各剤の流路を細分化する細流化部材とを有する毛髪化粧料の吐出装置を提供する。
【００１４】
また、本発明は、毛髪化粧料の第１剤を充填した容器と第２剤を充填した容器の少なくとも２つの容器、及び上述の吐出装置からなる毛髪化粧料吐出用具を提供する。
【発明の効果】
【００１５】
本発明の吐出装置を備えた毛髪化粧料吐出用具によれば、２剤混合式の毛髪化粧料の第１剤と第２剤を、各剤の層状の流れを積層した積層流よりもさらに細分化した状態で吐出させるので、吐出後に第１剤と第２剤を容易に素早く均一に混合することができる。したがって、２剤混合式の毛髪化粧料を毛髪にムラ無く塗布することが可能となり、特に、第１剤と第２剤がクリーム状、ジェル状等の比較的高粘度の毛髪化粧料であっても、塗布ムラをなくすことができる。
【００１６】
また本発明によれば、吐出ノズル内で第１剤の流路と第２剤の流路が交わることなく別個に形成されているので、吐出装置を使いかけで放置しておいても両剤が接触して反応することはない。
【発明を実施するための最良の形態】
【００１７】
以下、図面を参照しつつ、本発明を詳細に説明する。なお、各図中、同一符号は同一又は同等の構成要素を表している。
【００１８】
図１は、本発明の一実施例の毛髪化粧料吐出用具１の斜視図である。この毛髪化粧料吐出用具１は、毛髪化粧料の第１剤を充填したエアゾール容器２ａと第２剤を充填したエアゾール容器２ｂと、これらに装着した吐出装置１０Ａからなっている。
【００１９】
エアゾール容器２ａ、２ｂは、クリーム状、ジェル状等の比較的高粘度の毛髪化粧料の吐出に好適な、外側耐圧容器とその内部の内袋からなる二重エアゾール容器である。この内袋には第１剤あるいは第２剤が充填され、内袋と外側耐圧容器との間には、噴射剤が充填されている。ここで、第１剤及び第２剤は、公知の２剤混合式の毛髪化粧料と同様に、毛髪化粧料が染毛剤である場合、第１剤が酸化染料を含有し、第２剤が過酸化水素等の酸化剤を含有する。また、毛髪化粧料が毛髪脱色剤である場合、第１剤がアルカリ剤を含有し、第２剤が過酸化水素を含有する。
【００２０】
エアゾール容器２ａ、２ｂは、熱収縮フィルム、ストレッチフィルム、シュリンクフィルム等のフィルム３で束ねられている。
【００２１】
図２は、この毛髪化粧料吐出用具１の吐出装置１０Ａの断面図である。この吐出装置１０Ａは、着脱自在に組み立てられる連結部１１ａと吐出ノズル１２からなる。
【００２２】
連結部１１ａは、図３（上面図（ａ）、底面図（ｂ））に示すように、底面に、エアゾール容器２ａ、２ｂのステム４を嵌入させるステム嵌入部１３ａ、１３ｂを有し、上面側には、第１剤の流路と第２剤の流路をそれぞれ形成する溝１４ａ、１４ｂが、互いに交わることなく形成されている。ここで、各溝１４ａ、１４ｂは、ステム嵌入部１３ａ、１３ｂと反対側が３つの流路に分岐し、これら各剤の３つの分岐路１５ａ、１５ｂが、連結部１１ａの中央部で交互に配設されている。
【００２３】
なお、第１剤と第２剤の分岐路の数は３つに限らず、各剤につき２つ以下としてもよく、４つ以上としてもよい。また、第１剤と第２剤の分岐路は、交互に配設する限り、それらの数を異ならせてもよく、例えば、図７に示す連結部１１ｂのように、第１剤の分岐路１５ａを２つ、第２剤の分岐路１５ｂを１つ、としてもよく、図８に示す連結部１１ｃのように、第１剤の分岐路１５ａを２つ、第２剤の分岐路１５ｂを３つとしてもよい。また、第１剤と第２剤を吐出させた後、両剤を素早く均一に混合できるようにするには、各剤の分岐路の数は、２つ以上とすることが好ましい。
【００２４】
吐出ノズル１２は、ノズル本体部１６と、ノズル本体部１６の先端部に着脱自在に設けられた細流化部材１７ａからなる。
【００２５】
ノズル本体部１６の内部では、第１剤の層状流路１８ａと第２剤の層状流路１８ｂが互いに交わることなく交互に積層されている。したがって、図４（上面図（ａ）、底面図（ｂ））に示すように、ノズル本体部１６の上面と底面には、第１剤の層状流路１８ａと第２剤の層状流路１８ｂの開口端として、スリット状の開口部１９、２０が形成されている。この底面のスリット状の開口部２０は、上述の連結部１１ａの各剤３つずつの分岐路１５ａ、１５ｂに対応して合計６つあり、吐出ノズル１２を連結部１１ａ上に取り付けたときに、各剤の分岐路１５ａ、１５ｂと重なる位置に形成されている。
【００２６】
また、ノズル本体部１６の底面は、スリット状の開口部２０以外の部分では、連結部１１ａの溝１４ａ、１４ｂの蓋となるように形成されている。したがって、ノズル本体部１６を連結部１１ａに取り付けることにより、吐出装置１０Ａの内部に第１剤の流路と第２剤の流路が形成されることとなる。
【００２７】
一方、本発明において、細流化部材１７ａは、ノズル本体部１６の先端部に設けられ、ノズル本体部１６のスリット状の開口部２０を部分的に閉ざすことにより開口部２０の一部を吐出口として開口し、それにより各剤の流れを層状流路１８ａ、１８ｂに対して細分化するものである。
【００２８】
図５は、図２の吐出装置１０Ａに取り付けられている細流化部材１７ａの上面図とその断面図である。この細流化部材１７ａは、その上面に、隣り合う２つの層状流路１８ａ、１８ｂに跨る複数の窓部２１を縦横に有している。そして、これらの窓部２１を通して吐出される毛髪化粧料が第１剤と第２剤の市松模様となるように、各窓部では第１剤又は第２剤のいずれか一方の流路が開口し、他方の流路は閉ざされている。
【００２９】
この毛髪化粧料吐出用具１の使用に際しては、まず、吐出ノズル１２を押し込む。これにより各容器２ａ、２ｂのステム４が押し下げられ、各容器２ａ、２ｂから第１剤と第２剤がそれぞれ吐出装置１０Ａ内の流路（溝１４ａ、１４ｂ）に吐出され、ノズル本体部１６内の層状流路１８ａ、１８ｂを経て細流化部材１７ａの窓部２１から外に吐出される。ここで、各窓部２１では図５に示したように、第１剤又は第２剤のいずれか一方の流路が開口し、他方の流路は閉ざされているから、第１剤と第２剤が窓部２１にさしかかったときには、図６（ａ）に示すように、各窓部２１に第１剤ａ又は第２剤ｂのいずれかが現れ、次いで、同図（ｂ）に示すように、それらは窓部２１を満たし、さらに同図（ｃ）に示すように、窓部から溢れて第１剤と第２剤が市松模様に吐出される。
【００３０】
こうして流れが市松模様に細分化された第１剤と第２剤をブラシあるいは直接毛髪上にとり、毛髪を梳くと、両剤は素早く均一に混合する。よって、第１剤と第２剤の混合剤を毛髪にムラ無く塗布することができる。
【００３１】
また、第１剤と第２剤は、吐出ノズル１２の内部では、別個の流路にあるため、使いかけで吐出装置１０Ａを放置しても、吐出装置１０Ａ内で第１剤と第２剤が接触して反応することはない。
【００３２】
さらに、吐出装置１０Ａは、着脱自在に組み立てられる連結部１１ａと吐出ノズル１２からなるため、必要に応じて、これらを分解し、洗浄することができる。
【００３３】
本発明の毛髪化粧料吐出用具及び吐出装置は、吐出ノズル内で第１剤と第２剤の層状流路が互いに交わることなく交互に積層され、その層状流路から吐出した各剤の流れが、吐出ノズルの先端部の細流化部材で細分化されるようにする限り、種々の態様をとることができる。
【００３４】
例えば、吐出ノズル１２内の第１剤と第２剤の層状流路１８ａ、１８ｂは、必ずしも各剤につき複数層が積層されていなくてもよく、図９に示す吐出装置１０Ｂのように、第１剤の層状流路１８ａと第２剤の層状流路１８ｂを、一層ずつ積層してもよい。図１０は、図９の吐出装置１０Ｂの断面図である。
【００３５】
この吐出装置１０Ｂでは、図１１に示すように、連結部１１ｄの中央部に、第１剤用の細幅の溝１４ａと第２剤用の細幅の溝１４ｂが１つずつが隣接して形成されており、図１２に示にすように、ノズル本体部１６の底面には、これらの溝１４ａ、１４ｂに対応する２つのスリット状の開口部２０が形成され、この開口部２０が、ノズル本体部１６内の第１剤の層状流路１８ａと第２剤の層状流路１８ｂの開口端となっている。
【００３６】
この吐出装置１０Ｂにおいて、細流化部材１７ｃは、図１３に示すように、隣り合う第１剤の層状流路１８ａと第２剤の層状流路１８ｂに跨る複数の窓部２１を一列に有し、これらの窓部２１において、第１剤又は第２剤のいずれか一方の流路が交互に開口している。
【００３７】
したがって、この吐出装置１０Ｂの使用時に吐出ノズル１２を押し込むと、まず、図１４（ａ）に示すように、各窓部２１に第１剤ａ又は第２剤ｂが交互に現れ、次いでそれらが同図（ｂ）に示すように窓部２１を満たし、さらに同図（ｃ）に示すように、窓部から溢れて第１剤と第２剤の流れが横縞模様に吐出される。このように第１剤と第２剤の流れを横縞模様に細分化することによっても両剤を素早く混合することができる。
【００３８】
なお、この吐出装置１０Ｂにおいて、細流化部材１７ｃの窓部２１の長手方向はエアゾール容器２ａ、２ｂの並設方向と略平行であり、窓部２１の形成面は、水平に対して斜めに傾いているが、この細流化部材１７ｃの設置方向は、吐出装置１０Ｂの使い易さを向上させるため、適宜変えることができる。例えば、図１５に示すように、各窓部２１の長手方向がエアゾール容器２ａ、２ｂの並設方向と略垂直となるようにしてもよい。この場合、連結部材１１ｅにおける分岐路の形成方向も、適宜変更する。
【００３９】
この他、本発明において細流化部材には、図１６に示す細流化部材１７ｄのように、短尺、好ましくは３ｍｍ〜５ｍｍの櫛歯２３を設けてもよい。これにより、吐出ノズル１２で毛髪を梳くことが可能となる。
【産業上の利用可能性】
【００４０】
本発明の吐出装置を取り付けるエアゾール容器としては、ステムの傾倒によりバルブが開口するチルトバルブを備えたものとしてもよい。また、本発明の吐出装置を取り付ける容器は、エアゾール容器の他、シリンダーとピストンからなるポンプ装置を備え、ピストンを上下させることにより剤を吐出させるポンプ容器を用いてもよい。
さらに、本発明の毛髪化粧料吐出用具及び吐出装置は、２剤混合式の毛髪化粧料の吐出に限らず、染毛剤、毛髪脱色剤等の２種類の塗布剤と希釈剤を混合して使用する３剤混合式の毛髪化粧料に適合させることもできる。
【図面の簡単な説明】
【００４１】
【図１】実施例の毛髪化粧料吐出用具の斜視図である。
【図２】吐出装置の断面図である。
【図３】連結部の上面図（ａ）と底面図（ｂ）である。
【図４】ノズル本体部の上面図（ａ）と底面図（ｂ）である。
【図５】細流化部材の上面図（ａ）と断面図（ｂ）である。
【図６】第１剤と第２剤の吐出状態を表した細流化部材の上面図である。
【図７】連結部の上面図である。
【図８】連結部の上面図である。
【図９】吐出装置の斜視図である。
【図１０】吐出装置の断面図である。
【図１１】連結部の上面図（ａ）と底面図（ｂ）である。
【図１２】ノズル本体部の上面図（ａ）と底面図（ｂ）である。
【図１３】細流化部材の上面図（ａ）と断面図（ｂ）である。
【図１４】第１剤と第２剤の吐出状態を表した細流化部材の上面図である。
【図１５】吐出装置の斜視図である。
【図１６】吐出ノズル先端部の斜視図である。
【符号の説明】
【００４２】
１    毛髪化粧料吐出用具
２ａ、２ｂ  エアゾール容器
３    フィルム
４    ステム
１０Ａ、１０Ｂ    吐出装置
１１ａ、１１ｂ、１１ｃ、１１ｄ、１１ｅ    連結部
１２    吐出ノズル
１３ａ、１３ｂ    ステム嵌入部
１４ａ、１４ｂ    溝
１５ａ、１５ｂ    分岐路
１６    ノズル本体部
１７ａ、１７ｂ、１７ｃ、１７ｄ    細流化部材
１８ａ、１８ｂ    層状流路
１９    スリット状開口部
２０    スリット状開口部
２１    窓部
２２    開口部
２３    櫛歯
【図１】
2005035631.tif 000003
【図２】
2005035631.tif 000004
【図３】
2005035631.tif 000005
【図４】
2005035631.tif 000006
【図５】
2005035631.tif 000007
【図６】
2005035631.tif 000008
【図７】
2005035631.tif 000009
【図８】
2005035631.tif 000010
【図９】
2005035631.tif 000011
【図１０】
2005035631.tif 000012
【図１１】
2005035631.tif 000013
【図１２】
2005035631.tif 000014
【図１３】
2005035631.tif 000015
【図１４】
2005035631.tif 000016
【図１５】
2005035631.tif 000017
【図１６】
2005035631.tif 000018